(57)【要約】【課題】連動運転時における室内機、床暖房端末の作動とリモコン表示が一致する空調システムを提供する。【解決手段】室内機１７を有するエアコンユニット２と、床暖房端末２７を有する床暖房ユニット３と、エアコンユニット２を操作する第１のリモコン２１と、床暖房ユニット３を操作する第２のリモコン３６とを備え、第１のリモコン２１は表示部２６を有し、第１のリモコン２１からエアコンユニット２の室内機１７へ情報の伝達を行い、第２のリモコン３６は表示部３７を有し、第２のリモコン３６と床暖房ユニット３との間で双方向通信により情報の伝達を行うと共に、エアコンユニット２の作動情報を取得可能とし、温風暖房運転と床暖房運転との連動運転が可能なものにおいて、連動運転の開始を第１のリモコン２１から実行できるようにし、第２のリモコン３６からは連動運転の開始を実行できないようにした。【選択図】図３
2020112340.tif 000002
【特許請求の範囲】
【請求項１】
室内機を有するエアコンユニットと、床暖房端末を有する床暖房ユニットと、前記エアコンユニットを操作するための第１のリモコンと、前記床暖房ユニットを操作するための第２のリモコンとを備え、
前記第１のリモコンは、表示部を有し、前記第１のリモコンから前記エアコンユニットの前記室内機へ情報の伝達を行い、
前記第２のリモコンは、表示部を有し、前記第２のリモコンと前記床暖房ユニットとの間で双方向通信により情報の伝達を行うと共に、前記エアコンユニットの作動情報を取得可能とし、
前記エアコンユニットによる温風暖房運転と、前記床暖房ユニットによる床暖房運転との連動運転が可能な空調システムにおいて、
前記連動運転の開始を前記第１のリモコンから実行できるようにし、前記第２のリモコンからは前記連動運転の開始を実行できないようにしたことを特徴とする空調システム。
【請求項２】
前記連動運転を行うか否かを選択する選択手段を設け、該選択手段により前記連動運転が選択された場合に、前記連動運転の開始を前記第１のリモコンから実行できるようにし、前記第２のリモコンからは前記連動運転の開始を実行できないようにしたことを特徴とする請求項１記載の空調システム。
【請求項３】
前記第１のリモコンに前記連動運転の開始を実行できる連動運転実行操作手段を設けたことを特徴とする請求項１記載の空調システム。
【請求項４】
前記第１のリモコンに、設定された運転開始時間に前記エアコンユニットによる温風暖房運転を開始するよう運転開始予約を行う第１タイマー運転手段を設け、前記第２のリモコンに、設定された運転開始時間に前記床暖房ユニットによる床暖房運転を開始するよう運転開始予約を行う第２タイマー運転手段を設け、前記選択手段により前記連動運転が選択された場合、前記第１のリモコンの前記第１タイマー運転手段から前記運転開始予約を行え、設定された運転開始時間に前記連動運転の開始を実行できるようにし、前記第２のリモコンの前記第２タイマー運転手段からは前記運転開始予約は行えず、前記連動運転の開始を実行できないようにしたことを特徴とする請求項２記載の空調システム。
【請求項５】
前記エアコンユニットと前記床暖房ユニットは、同一の圧縮機を熱源とするヒートポンプ式熱源機を備え、前記選択手段により前記連動運転が選択された場合に、前記第１のリモコンからは前記圧縮機の運転開始および運転停止を実行できるようにし、前記第２のリモコンからは前記圧縮機の運転開始を実行できないようにすると共に、前記圧縮機の運転停止を実行できるようにしたことを特徴とする請求項２または４記載の空調システム。
【請求項６】
前記選択手段により前記連動運転が選択されていない場合、前記第２のリモコンから前記圧縮機の運転開始および運転停止を実行できるようにしたことを特徴とする請求項５記載の空調システム。
【請求項７】
前記第２のリモコンは操作スイッチを有し、前記第２のリモコンは、前記空調システム全体に関する設定を行うための全体設定画面、および、前記床暖房ユニットの運転開始・停止設定を含む前記床暖房ユニットに関する設定を行うための端末設定画面を切替可能に前記第２のリモコンの表示部に表示し、前記選択手段により前記連動運転が選択された場合、前記第２のリモコンの表示部には、前記全体設定画面を表示して前記端末設定画面への切り替えができないようにし、前記全体設定画面を表示しているとき、前記操作スイッチには、前記圧縮機の運転停止を指示する機能のみが付与され、前記第２のリモコンから前記圧縮機の運転開始を実行できないようにしたことを特徴とする請求項５または６記載の空調システム。
【発明の詳細な説明】
【技術分野】
【０００１】
本発明は、エアコンユニットと床暖房ユニットを備えた空調システムに関するものである。
【背景技術】
【０００２】
従来この種の空調システムにおいては、室内機を有するエアコンユニットと、床暖房端末を有する床暖房ユニットと、エアコンユニットを操作するための室内機リモコンと、床暖房ユニットを操作するための床暖房リモコンとを備え、エアコンユニットによる温風暖房運転と床暖房ユニットによる床暖房運転との連動運転が可能なものにおいて、連動運転が選択されている場合、床暖房リモコンでのＯＮ操作で連動運転を開始させるものがあった。（例えば、特許文献１参照。）
【先行技術文献】
【特許文献】
【０００３】
【特許文献１】特開２００２−１２２３４３号公報
【発明の概要】
【発明が解決しようとする課題】
【０００４】
ところで、この従来のものにおいて、室内機リモコンが、室内機リモコンから室内機への一方向通信により情報の伝達を行うもので、床暖房リモコンが床暖房ユニットとの間で双方向通信により情報の伝達を行うと共にエアコンユニットの作動情報を取得可能なものである場合、室内機リモコンは、情報送信機能しか有しておらず、室内機側から発せられる情報を受信する機能は有していないため、床暖房リモコンでのＯＮ操作で連動運転が開始されても室内機リモコンはその情報を得ることができない。
【０００５】
上記連動運転が選択され、床暖房リモコンでのＯＮ操作で連動運転が開始されたときに、床暖房リモコンの方は双方向通信ができるので、床暖房リモコンの表示部には運転状態が表示されるが、室内機リモコンの方は送信機能のみの一方向通信なので、室内機の運転状態を受信できず、室内機リモコンの表示部には運転状態に関する表示がされないことになる。そうすると、室内機は作動しているのに室内機リモコンの表示部は非表示の状態となり、連動運転において、室内機の作動と室内機リモコンの表示が一致しないという問題が発生し、室内機リモコンの電池切れや、ユーザが想定した運転が行われているのかどうか判断に迷う等、いらぬ疑念を抱かせてしまうものであった。
【課題を解決するための手段】
【０００６】
本発明は上記課題を解決するために、請求項１では、室内機を有するエアコンユニットと、床暖房端末を有する床暖房ユニットと、前記エアコンユニットを操作するための第１のリモコンと、前記床暖房ユニットを操作するための第２のリモコンとを備え、前記第１のリモコンは、表示部を有し、前記第１のリモコンから前記エアコンユニットの前記室内機へ情報の伝達を行い、前記第２のリモコンは、表示部を有し、前記第２のリモコンと前記床暖房ユニットとの間で双方向通信により情報の伝達を行うと共に、前記エアコンユニットの作動情報を取得可能とし、前記エアコンユニットによる温風暖房運転と、前記床暖房ユニットによる床暖房運転との連動運転が可能な空調システムにおいて、前記連動運転の開始を前記第１のリモコンから実行できるようにし、前記第２のリモコンからは前記連動運転の開始を実行できないようにするものとした。
【０００７】
また、請求項２では、前記連動運転を行うか否かを選択する選択手段を設け、該選択手段により前記連動運転が選択された場合に、前記連動運転の開始を前記第１のリモコンから実行できるようにし、前記第２のリモコンからは前記連動運転の開始を実行できないようにするものとした。
【０００８】
また、請求項３では、前記第１のリモコンに前記連動運転の開始を実行できる連動運転実行操作手段を設けるものとした。
【０００９】
また、請求項４では、前記第１のリモコンに、設定された運転開始時間に前記エアコンユニットによる温風暖房運転を開始するよう運転開始予約を行う第１タイマー運転手段を設け、前記第２のリモコンに、設定された運転開始時間に前記床暖房ユニットによる床暖房運転を開始するよう運転開始予約を行う第２タイマー運転手段を設け、前記選択手段により前記連動運転が選択された場合、前記第１のリモコンの前記第１タイマー運転手段から前記運転開始予約を行え、設定された運転開始時間に前記連動運転の開始を実行できるようにし、前記第２のリモコンの前記第２タイマー運転手段からは前記運転開始予約は行えず、前記連動運転の開始を実行できないようにするものとした。
【００１０】
また、請求項５では、前記エアコンユニットと前記床暖房ユニットは、同一の圧縮機を熱源とするヒートポンプ式熱源機を備え、前記選択手段により前記連動運転が選択された場合に、前記第１のリモコンからは前記圧縮機の運転開始および運転停止を実行できるようにし、前記第２のリモコンからは前記圧縮機の運転開始を実行できないようにすると共に、前記圧縮機の運転停止を実行できるようにするものとした。
【００１１】
また、請求項６では、前記選択手段により前記連動運転が選択されていない場合、前記第２のリモコンから前記圧縮機の運転開始および運転停止を実行できるようにするものとした。
【００１２】
また、請求項７では、前記第２のリモコンは操作スイッチを有し、前記第２のリモコンは、前記空調システム全体に関する設定を行うための全体設定画面、および、前記床暖房ユニットの運転開始・停止設定を含む前記床暖房ユニットに関する設定を行うための端末設定画面を切替可能に前記第２のリモコンの表示部に表示し、前記選択手段により前記連動運転が選択された場合、前記第２のリモコンの表示部には、前記全体設定画面を表示して前記端末設定画面への切り替えができないようにし、前記全体設定画面を表示しているとき、前記操作スイッチには、前記圧縮機の運転停止を指示する機能のみが付与され、前記第２のリモコンから前記圧縮機の運転開始を実行できないようにするものとした。
【発明の効果】
【００１３】
この発明の請求項１によれば、連動運転の開始を第１のリモコンから実行できるようにし、第２のリモコンからは連動運転の開始を実行できないようにしたことで、連動運転において、室内機の作動と第１のリモコンの表示が一致すると共に、床暖房端末の作動と第２のリモコンの表示が一致した状態となり、ユーザにいらぬ疑念を抱かせることがないものである。
【００１４】
また、請求項２によれば、連動運転を行うか否かを選択する選択手段を設け、選択手段により連動運転が選択された場合に、連動運転の開始を第１のリモコンから実行できるようにし、第２のリモコンからは前記連動運転の開始を実行できないようにしたことで、選択手段により連動運転が選択された場合において、室内機の作動と第１のリモコンの表示が一致すると共に、床暖房端末の作動と第２のリモコンの表示が一致した状態となり、ユーザにいらぬ疑念を抱かせることがないものである。
【００１５】
また、請求項３によれば、第１のリモコンに連動運転の開始を実行できる連動運転実行操作手段を設けたことで、第１のリモコンから確実に連動運転が開始され、連動運転において、室内機の作動と第１のリモコンの表示が一致すると共に、床暖房端末の作動と第２のリモコンの表示が一致した状態となり、ユーザにいらぬ疑念を抱かせることがないものである。
【００１６】
また、請求項４によれば、第１のリモコンに、設定された運転開始時間にエアコンユニットによる温風暖房運転を開始するよう運転開始予約を行う第１タイマー運転手段を設け、第２のリモコンに、設定された運転開始時間に前記床暖房ユニットによる床暖房運転を開始するよう運転開始予約を行う第２タイマー運転手段を設け、選択手段により連動運転が選択された場合、第１のリモコンの第１タイマー運転手段から運転開始予約を行え、設定された運転開始時間に連動運転の開始を実行できるようにし、第２のリモコンの第２タイマー運転手段からは運転開始予約は行えず、連動運転の開始を実行できないようにしたことで、タイマー運転による連動運転においても、室内機の作動と第１のリモコンの表示が一致すると共に、床暖房端末の作動と第２のリモコンの表示が一致した状態となり、ユーザにいらぬ疑念を抱かせることがないものである。
【００１７】
また、請求項５によれば、エアコンユニットと床暖房ユニットは、同一の圧縮機を熱源とするヒートポンプ式熱源機を備え、選択手段により連動運転が選択された場合に、第１のリモコンからは圧縮機の運転開始および運転停止を実行できるようにし、第２のリモコンからは圧縮機の運転開始を実行できないようにすると共に、圧縮機の運転停止を実行できるようにしたことで、運転開始の実行は第１のリモコンだけに制限して、連動運転時の作動とリモコン表示の不一致を防止すると共に、運転停止の実行はどちらのリモコンからでもできるようにしたので使い勝手がよいものである。
【００１８】
また、請求項６によれば、選択手段により連動運転が選択されていない場合、第２のリモコンから圧縮機の運転開始および運転停止を実行できるようにしたことで、連動運転が選択されていない場合には、第２のリモコンからの運転開始の実行が制限されることはなく、通常の使い方が適用され使い勝手がよいものである。
【００１９】
また、請求項７によれば、第２のリモコンは、空調システム全体に関する設定を行うための全体設定画面、および、床暖房ユニットの運転開始・停止設定を含む床暖房ユニットに関する設定を行うための端末設定画面を切替可能に第２のリモコンの表示部に表示し、選択手段により連動運転が選択された場合、第２のリモコンの表示部には、全体設定画面を表示して端末設定画面への切り替えができないようにし、全体設定画面を表示しているとき、操作スイッチには、圧縮機の運転停止を指示する機能のみが付与され、第２のリモコンから圧縮機の運転開始を実行できないようにしたことで、連動運転が選択された場合に、第２のリモコンには、運転開始指示が行えない全体設定画面が常に表示され、床暖房ユニットの運転開始指示が行える端末設定画面が出現しないようになっているので、第２のリモコンからは運転開始指示が行えないことをユーザに認識させ、運転を開始させるためには第１のリモコンを操作しなければならないことを自然と意識させることができるものである。
【図面の簡単な説明】
【００２０】
【図１】本発明の一実施形態に係る空調システムを示す概略構成図。
【図２】床暖房ユニットを操作するための床暖房リモコンの外観構造を示す図。
【図３】連動運転が選択された場合における床暖房リモコンおよび室内機リモコンの画面遷移例を表す図。
【図４】連動運転が選択されていない場合における床暖房リモコンおよび室内機リモコンの画面遷移例を表す図。
【図５】本発明の他の実施形態に係る空調システムを示す概略構成図。
【発明を実施するための形態】
【００２１】
本発明の実施形態に係る空調システム１の構成について、適宜図面参照しながら詳細に説明する。
この空調システム１は、室内の空気調和を行うエアコンユニット２と、床を暖房する床暖房ユニット３とを備え、エアコンユニット２による温風暖房運転または冷風冷房運転、床暖房ユニット３による床暖房運転をそれぞれ実行可能であると共に、エアコンユニット２による温風暖房運転と床暖房ユニット３による床暖房運転との連動運転が実行可能である。上記エアコンユニット２および床暖房ユニット３の詳細については後述する。
【００２２】
４は空調システム１の熱源であり、ヒートポンプ式熱源機としての室外機で、室外機４の内部には、冷媒を圧縮する圧縮機５、流路切換手段としての四方弁６、冷媒と循環液との熱交換を行う液冷媒熱交換器７、減圧手段としての床暖側膨張弁８、室外ファン９の作動により送られる空気（外気）との熱交換を行うフィンチューブ式の空気熱交換器１０とを有し、それらを冷媒配管１１で環状に接続して冷媒が循環する床暖側ヒートポンプ回路１２を形成している。
【００２３】
１３は空調側ヒートポンプ回路で、空調側ヒートポンプ回路１３は、圧縮機５と液冷媒熱交換器７との間から分岐して、床暖側膨張弁８と空気熱交換器１０との間に接続される冷媒配管１１を有し、圧縮機５、四方弁６、室外機４外に設けられた室内熱交換器１４、減圧手段としての空調側膨張弁１５、空気熱交換器１０を冷媒配管１１で環状に接続して形成される。なお、圧縮機５と液冷媒熱交換器７との間から分岐して室内熱交換器１４に至るまでの冷媒配管１１には、空調側ヒートポンプ回路１３を循環する冷媒の流れを、開弁することで流通可能状態とする、または閉弁して遮断状態とする二方弁１６が設けられている。
【００２４】
前記床暖側ヒートポンプ回路１２および前記空調側ヒートポンプ回路１３は、互いに一部の回路を共用し、同一の圧縮機５を熱源としており、液冷媒熱交換器７と室内熱交換器１４とを並列に備えている。なお、床暖側ヒートポンプ回路１２および空調側ヒートポンプ回路１３を循環する冷媒としては、ＨＦＣ冷媒や二酸化炭素冷媒等の任意の冷媒を用いることができる。
【００２５】
１７は室内に設置され温風または冷風を供給可能な室内機であり、室内機１７の内部には、室内熱交換器１４、室内ファン１８、室内の温度を検出する室内温度センサ１９、室内機制御部２０を有し、室内ファン１８の作動により送られる室内空気が室内熱交換器１４にて熱交換され、熱交換により加熱または冷却された空気が室内に供給される。
【００２６】
２１はエアコンユニット２を操作するための第１のリモコンとしての室内機リモコンで、室内機リモコン２１はワイヤレスリモコンであり、この室内機リモコン２１の送信部（図示せず）と室内機制御部２０の受信部（図示せず）とは、赤外線等により無線通信を行い、室内機リモコン２１の送信部から室内機制御部２０の受信部への一方向通信により情報の伝達を行う。つまり、室内機リモコン２１は情報を送信する機能のみを有し、情報を受信する機能はない。室内機リモコン２１の送信部より発信された信号を、室内機制御部２０の受信部で受けると、室内機制御部２０では、室内機リモコン２１から送られてきた情報を読み取り、指示された制御を行う。
【００２７】
前記室内機リモコン２１は、エアコンユニット２に対して、室内に温風を供給する暖房運転を実行させる暖房スイッチ２２と、エアコンユニット２に対して、室内に冷風を供給する冷房運転を実行させる冷房スイッチ２３と、暖房運転または冷房運転を停止させる停止スイッチ２４と、室内温度を設定する室内温度設定スイッチ２５と、室内の設定温度や運転状態を表示する表示部２６と、室内機１７に対しタイマーによる運転を指示するための第１タイマー運転手段としてのタイマースイッチ４５とを備えているものである。
【００２８】
前記暖房スイッチ２２が操作され暖房運転が実行されているとき、または冷房スイッチ２３が操作され冷房運転が実行されているときは、表示部２６には室内の設定温度や運転状態等が表示されており、停止スイッチ２４が操作され暖房運転または冷房運転が停止されたときは、表示部２６には室内の設定温度や運転状態に関する表示は消え、非表示状態となる。
【００２９】
前記タイマースイッチ４５は、暖房運転に設定されている場合、設定された運転開始時間にエアコンユニット２（室内機１７）による温風暖房運転を開始するよう運転開始予約を行うことができると共に、設定された運転停止時間にエアコンユニット２（室内機１７）による温風暖房運転を停止するよう運転停止予約を行うことができる。また、前記タイマースイッチ４５は、冷房運転に設定されている場合、設定された運転開始時間にエアコンユニット２（室内機１７）による冷風冷房運転を開始するよう運転開始予約を行うことができると共に、設定された運転停止時間にエアコンユニット２（室内機１７）による冷風冷房運転を停止するよう運転停止予約を行うことができる。
【００３０】
上記運転開始時間の設定は、運転を開始させる時刻を設定するものと、現在から何時間後（または何分後）に運転を開始させるかを設定するものとを含み、タイマースイッチ４５による運転停止時間の設定は、運転を停止させる時刻を設定するものと、現在から何時間後（または何分後）に運転を停止させるかを設定するものとを含むものである。
【００３１】
２７は室外機４と往き管２８および戻り管２９を介して接続され、室外機４内の液冷媒熱交換器７で加熱された循環液が供給され、供給された循環液が保有する熱を放熱することで床暖房を行う床暖房パネル等の床暖房端末である。本実施形態では、図示された１台の床暖房端末２７は、室内機１７が設けられた部屋と同一の部屋の床に敷設されており、室内機１７と床暖房端末２７は同じ部屋（室内）に併設されている。
【００３２】
ここで、液冷媒熱交換器７から床暖房端末２７に向かって延びる往き管２８の途中には、１つの往きヘッダ３０が設けられており、往き管２８のうち往きヘッダ３０より上流側部分は、１つの共通往き管２８ａとして構成され、液冷媒熱交換器７にて加熱された循環液（例えば、水や不凍液等であり、以下、加熱された循環液を温水と適宜表現する）が供給される。そして、往き管２８のうち往きヘッダ３０より下流側部分は複数の個別往き管２８ｂ（ここでは４本）が分岐している。分岐した個別往き管２８ｂには、各個別往き管２８ｂに対応させて開閉弁である熱動弁３１が付設されている。
【００３３】
なお、本実施形態では、説明を簡略化するため、床暖房端末２７が１台だけ接続されたシステムとしているが、分岐した４本の個別往き管２８ｂそれぞれに床暖房端末２７を接続（４台接続）したシステムとしてもよい。
【００３４】
前記往き管２８と同様に、床暖房端末２７から液冷媒熱交換器７に向かって延びる戻り管２９の途中には、１つの戻りヘッダ３２が設けられており、戻り管２９のうち戻りヘッダ３２より上流側部分は、複数の個別戻り管２９ｂ（ここでは４本）が分岐している。そして、戻り管２９のうち戻りヘッダ３２より下流側部分は、１つの共通戻り管２９ａとして構成され、個別戻り管２９ｂを介して導入された循環液を液冷媒熱交換器７へと戻すものである。
【００３５】
３３は液冷媒熱交換器７と床暖房端末２７とを、往き管２８および戻り管２９で接続して形成され循環液が循環する循環回路で、戻り管２９（共通戻り管２９ａ）には、循環回路３３に循環液を循環させる回転数可変の循環ポンプ３４と、循環液を貯留し循環回路３３の圧力を調整するシスターン３５とを備えている。
【００３６】
３６は床暖房ユニット３を操作するための第２のリモコンとしての床暖房リモコンで、床暖房リモコン３６はワイヤードリモコンであり、室内の壁面に取り付けられる。また、後述する室外機制御部４４との間で双方向通信により情報の伝達を行うことができる。
【００３７】
ここで、図２に示すように、床暖房リモコン３６は、表示部３７と、操作スイッチとしての床暖房端末２７の運転開始・停止を指示するための運転／停止スイッチ３８と、床暖房端末２７に対しタイマーによる運転を指示するための第２タイマー運転手段としてのタイマースイッチ３９と、床暖房端末２７の運転態様（通常モード・セーブモード等）の切替を指示する運転切替スイッチ４０と、画面表示を１つ前の画面に戻すための戻るスイッチ４１と、メニュー／決定スイッチ４２と、上下左右方向への十字キー４３と、が備えられている。また、図示を省略しているが、床暖房リモコン３６には、床暖房ユニット３の動作制御や、後述する各種の表示を行うための、表示制御手段としてのＣＰＵや記憶手段としてのメモリ等が内蔵されている。
【００３８】
前記タイマースイッチ３９は、設定された運転開始時間に床暖房ユニット３（床暖房端末２７）による床暖房運転を開始するよう運転開始予約を行うことができると共に、設定された運転停止時間に床暖房ユニット３による床暖房運転を停止するよう運転停止予約を行うことができる。
【００３９】
上記運転開始時間の設定は、運転を開始させる時刻を設定するものと、現在から何時間後（または何分後）に運転を開始させるかを設定するものとを含み、タイマースイッチ３９による運転停止時間の設定は、運転を停止させる時刻を設定するものと、現在から何時間後（または何分後）に運転を停止させるかを設定するものとを含むものである。
【００４０】
また、床暖房リモコン３６の表示部３７は、前記ＣＰＵの制御により、複数の設定画面（後述の画面１００〜１０１）を切替可能に表示することができる。すなわち、表示部３７は、図２（ａ）に示す例では、空調システム１全体に係わる設定を行うための全体設定画面１００を表示している。また、図２（ｂ）に示す例では、表示部３７は、室内に設けられた床暖房端末２７の運転開始・停止設定を含む、床暖房端末２７に係わる設定を行うための端末設定画面１０１を表示している。なお、端末設定画面は、接続される床暖房端末２７の台数に対応した数（本実施形態では最大４つ）だけ設けることができる。
【００４１】
このとき、表示部３７に表示される各設定画面１００〜１０１の一方側端部（この例では設定画面１００〜１０１上部の右端寄り）に、全体設定画面１００を選択するための、「メイン」表記のタブＴＭが上方へ突出するように設けられている。また、各設定画面１００〜１０１の他方側端部（この例では設定画面１００〜１０１上部の左端）に、端末設定画面１０１を選択するための「Ａ」表記のタブＴＡが設けられている。これらタブＴＭ、ＴＡは、各設定画面１００〜１０１のいずれが表示されている状態においても操作可能にそれぞれ表示されており、十字キー４３等を介し、タブＴＭ、ＴＡのいずれかを操作することにより、操作されたタブＴＭ、ＴＡを備えた設定画面１００〜１０１を表示することができる。
【００４２】
表示状態にある設定画面１００〜１０１に対応するタブＴＭ、ＴＡでは、上記ＣＰＵの制御により、図２（ａ）〜（ｂ）に示すように、各タブから移動可能な他のタブの位置の方向（配置される側）を表すように、上記「メイン」「Ａ」の表記のサイドに、「▲（右向き）」または「▲（左向き）」の表示が行われる。例えば、図２（ａ）に示すように、全体設定画面１００で選択状態にあるタブＴＭについては、当該タブＴＭから移動して選択できるのはタブＴＡだけであることから、タブＴＭの左サイドに、タブＴＡの側に対応した「▲（左向き）」の表示が行われる。同様に、図２（ｂ）に示すように、端末設定画面１０１で選択状態にあるタブＴＡについては、当該タブＴＡから移動して選択できるのはタブＴＭだけであることから、タブＴＡの右サイドに、タブＴＭの側に対応した「▲（右向き）」の表示が行われる。
【００４３】
また、床暖房リモコン３６は、エアコンユニット２による温風暖房運転と、床暖房ユニット３による床暖房運転の連動運転を行うか否かを選択・設定する選択手段を備え、選択手段は、連動運転と非連動運転との切り替えを行うための構成（連動運転をするかしないか設定するメニュー画面や切替スイッチ等）を有しており、選択手段にて連動運転状態に切り替えて運転を開始すれば、温風暖房運転と床暖房運転との連動運転を行う。選択手段１７にて連動運転状態に切り替えられた状態では、室内機リモコン２１からエアコンユニット２の運転開始操作を行うことができると共に、床暖房ユニット３の運転開始操作を行うことができる。なお、選択手段は、室内機リモコン２１の方に設けられていてもよい。
【００４４】
４４は室外機４の制御を行う熱源制御部としての室外機制御部で、主にＣＰＵ、ＲＯＭ、ＲＡＭ等を備えたマイクロコンピュータで構成され、室外機４内の各種センサ、室内機制御部２０、床暖房リモコン３６からの信号を受けて、空調システム１の動作を制御できるようになっている。
【００４５】
前記室外機制御部４４は、室内機制御部２０との間で制御信号Ｓ１１のやり取りを行い双方向通信により情報の伝達を行うことができ、室内機リモコン２１から送信される制御信号Ｓ１に対応する情報も室内機制御部２０を介して取得可能である。また、室外機制御部４４は、床暖房リモコン３６との間で制御信号Ｓ２のやり取りを行い双方向通信によりの情報の伝達を行うことができる。
【００４６】
ここで、前述のエアコンユニット２は、大まかには、室外機４と室内機１７とで構成され、より詳細には、空調側ヒートポンプ回路１３（圧縮機５、四方弁６、室外ファン９、空気熱交換器１０、室内熱交換器１４、空調側膨張弁１５、二方弁１６）、室外機制御部４４、および室内機１７（室内熱交換器１４、室内ファン１８、室内温度センサ１９、室内機制御部２０）とで構成されている。また、床暖房ユニット３は、大まかには、室外機４と床暖房端末２７とで構成され、より詳細には、床暖側ヒートポンプ回路１２（圧縮機５、四方弁６、液冷媒熱交換器７、床暖側膨張弁８、室外ファン９、空気熱交換器１０）、室外機制御部４４、および床暖房端末２７とで構成されている。
【００４７】
前記エアコンユニット２および床暖房ユニット３は、同一の圧縮機５を熱源とし、室外機制御部４４も共用していることから、室外機制御部４４では、エアコンユニット２および床暖房ユニット３の両ユニットの運転状態を把握可能であるため、室外機制御部４４との間で双方向通信を行う床暖房リモコン３６は、エアコンユニット２の作動情報（運転中か停止中かなど）を取得可能である。
【００４８】
次に、空調システム１の動作について説明する。
まず、エアコンユニット２単独での温風暖房運転について説明すれば、ユーザにより室内機リモコン２１の暖房スイッチ２２が操作（押圧）され、室内機リモコン２１から温風暖房運転開始指示信号が送られると、室内機制御部２０でその信号を受け、室内機制御部２０から室外機制御部４４にその信号が送られる。この時、室内機リモコン２１の表示部２６には、室内の設定温度や運転状態（暖房）等が表示される。
【００４９】
前記温風暖房運転の開始指示が出ると、室内機制御部２０は室内ファン１８の駆動を開始させ、室外機制御部４４は空調側ヒートポンプ回路１３の作動を開始させる。具体的に室外機制御部４４は、四方弁６を暖房時の流路に切り替え、二方弁１６を開弁させ、圧縮機５および室外ファン９の駆動を開始させ、空調側膨張弁１５の開度を暖房開始時の開度に制御して、温風暖房運転が開始される。
【００５０】
前記温風暖房運転中、空調側ヒートポンプ回路１３では、圧縮機５で圧縮された高温・高圧のガス状の冷媒が圧縮機５から吐出され、冷媒は二方弁１６を通過し、凝縮器として機能する室内熱交換器１４にて室内機１７が設置されている室内の空気と熱交換を行う。室内熱交換器１４で冷媒は室内空気を加熱しながら気液混合状態で高圧の冷媒に変化する。そして、この状態の冷媒が空調側膨張弁１５において減圧されて低圧の冷媒となって蒸発しやすい状態となり、蒸発器として機能する空気熱交換器１０において、室外ファン９の作動により送られる外気と熱交換を行って外気から吸熱して低温・低圧のガス状の冷媒となって、再び圧縮機５へ戻るものである。
【００５１】
なお、エアコンユニット２単独での温風暖房運転時には床暖側膨張弁８を微小開としており、微小開とすることで液冷媒熱交換器７に冷媒が溜まり込まないようにし、能力不足等の不具合が発生することを防止している。
【００５２】
次に、エアコンユニット２単独での冷風冷房運転について説明すれば、ユーザにより室内機リモコン２１の冷房スイッチ２３が操作（押圧）され、室内機リモコン２１から冷風冷房運転開始指示信号が送られると、室内機制御部２０でその信号を受け、室内機制御部２０から室外機制御部４４にその信号が送られる。この時、室内機リモコン２１の表示部２６には、室内の設定温度や運転状態（冷房）等が表示される。
【００５３】
前記冷風冷房運転の開始指示が出ると、室内機制御部２０は室内ファン１８の駆動を開始させ、室外機制御部４４は空調側ヒートポンプ回路１３の作動を開始させる。具体的に室外機制御部４４は、四方弁６を冷房時の流路に切り替え、二方弁１６を開弁させ、圧縮機５および室外ファン９の駆動を開始させ、空調側膨張弁１５の開度を冷房開始時の開度に制御して、冷風冷房運転が開始される。
【００５４】
前記冷風冷房運転中、空調側ヒートポンプ回路１３では、圧縮機５で圧縮された高温・高圧のガス状の冷媒が圧縮機５から吐出され、凝縮器として機能する空気熱交換器１０において、室外ファン９の作動により送られる外気と熱交換を行って外気へ放熱して気液混合状態で高圧の冷媒に変化する。そして、この状態の冷媒が空調側膨張弁１５において減圧されて低圧の冷媒となって蒸発しやすい状態となり、蒸発器として機能する室内熱交換器１４にて室内機１７が設置されている室内の空気と熱交換を行う。室内熱交換器１４で冷媒は室内空気を冷却しながら低温・低圧のガス状の冷媒となり、二方弁１６を通過して、再び圧縮機５へ戻るものである。
【００５５】
次に、床暖房ユニット３単独での床暖房運転について説明すれば、床暖房リモコン３６の表示部３７に端末設定画面１０１が表示された状態で、ユーザにより床暖房リモコン３６の運転／停止スイッチ３８が操作され、床暖房端末２７の運転開始指示がなされると、室外機制御部４４でその指示信号を受ける。この時、床暖房リモコン３６の表示部３７には、床暖房の運転状態や床暖房の温度レベル等が表示される。
【００５６】
前記床暖房運転の開始指示が出ると、室外機制御部４４は床暖側ヒートポンプ回路１２の作動を開始、具体的には室外機制御部４４は、四方弁６を暖房時の流路に切り替え、圧縮機５および室外ファン９の駆動を開始させ、床暖側膨張弁８の開度を暖房開始時の開度に制御し、さらに、室外機制御部４４は、熱動弁３１を開弁させ、循環ポンプ３４の駆動を開始させることで、床暖房運転が開始される。なお、二方弁１６は床暖房運転が単独で行われているときは閉弁させている。
【００５７】
前記床暖房運転中、床暖側ヒートポンプ回路１２では、圧縮機５で圧縮された高温・高圧のガス状の冷媒が圧縮機５から吐出され、凝縮器として機能する液冷媒熱交換器７にて熱交換を行う。液冷媒熱交換器７で冷媒は循環回路３３を循環する循環液を加熱しながら、気液混合状態で高圧の冷媒に変化する。そして、この状態の冷媒が床暖側膨張弁８において減圧されて低圧の冷媒となって蒸発しやすい状態となり、蒸発器として機能する空気熱交換器１０において、室外ファン９の作動により送られる外気と熱交換を行って外気から吸熱して低温・低圧のガス状の冷媒となって、再び圧縮機５へ戻るものである。液冷媒熱交換器７にて加熱された循環液は、循環ポンプ３４の駆動により床暖房端末２７に供給され、供給された循環液が保有する熱を放熱することで床暖房端末２７が敷設された室内を暖房するものである。
【００５８】
また、前記温風暖房運転と前記床暖房運転がそれぞれ個別に開始されて、エアコンユニット２と床暖房ユニット３が同時に運転している場合、または、エアコンユニット２による温風暖房運転と床暖房ユニット３による床暖房運転との連動運転が行われる場合、圧縮機５から吐出された冷媒は、凝縮器として機能する液冷媒熱交換器７および室内熱交換器１４の双方に流れ、そして、それぞれ必要な開度に制御された床暖側膨張弁８および空調側膨張弁１５を通過した後に合流し、蒸発器として機能する空気熱交換器１０を流通して、再び圧縮機５へ戻るものである。
【００５９】
次に、エアコンユニット２のタイマー運転について説明すれば、ユーザにより室内機リモコン２１にて、タイマースイッチ４５が操作（押圧）され、温風暖房運転を開始させるための運転開始時間が設定されると、室内機リモコン２１からタイマー運転（運転開始予約）の指示信号が室内制御部２０に送られ、室内機制御部２０でその信号を受け、ユーザにより設定された運転開始時間になったら、室内機制御部２０から室外機制御部４４に温風暖房運転を開始させるための指示信号が送られる。タイマー運転での温風暖房運転が開始された時、室内機リモコン２１の表示部２６には、室内の設定温度や運転状態（暖房）等が表示されている。なお、温風暖房運転の動作自体は、先に説明したエアコンユニット２単独での温風暖房運転と同じなので説明を省略する。
【００６０】
また、エアコンユニット２での温風暖房運転中に、ユーザにより室内機リモコン２１のタイマースイッチ４５が操作（押圧）され、温風暖房運転を停止させるための運転停止時間が設定されると、室内機リモコン２１からタイマー運転（運転停止予約）の指示信号が室内制御部２０に送られ、室内機制御部２０でその信号を受け、ユーザにより設定された運転停止時間になったら、室内機制御部２０から室外機制御部４４に温風暖房運転を停止させるための指示信号が送られる。タイマー運転で温風暖房運転が停止された時、室内機リモコン２１の表示部２６は非表示状態となり、室内の設定温度や運転状態に関する表示は消えた状態となる。なお、ここでは、温風暖房運転を例に挙げタイマー運転の説明を行ったが、タイマー運転は、エアコンユニット２による冷風冷房運転でも行え、その内容は冷房か暖房かの違いだけで温風暖房運転と同様であるため、冷風冷房運転時の説明については省略する。
【００６１】
次に、床暖房ユニット３のタイマー運転について説明すれば、床暖房リモコン３６の表示部３７に端末設定画面１０１が表示された状態で、ユーザにより床暖房リモコン３６のタイマースイッチ３９が操作（押圧）され、床暖房運転を開始させるための運転開始時間および床暖房運転を停止させるための運転停止時間が設定されると、その運転開始時間および運転停止時間を床暖房リモコン３６のＣＰＵで記憶しておき、設定された運転開始時間になると、床暖房リモコン３６のＣＰＵから室外機制御部４４にタイマー運転での温風暖房運転を開始させるための指示信号が送られる。タイマー運転での温風暖房運転が開始された時、床暖房リモコン３６の表示部３７には、運転状態（床暖房運転中）等が表示される。そして、設定された運転停止時間になると、床暖房リモコン３６のＣＰＵから室外機制御部４４にタイマー運転での温風暖房運転を停止させるための指示信号が送られる。タイマー運転での温風暖房運転が停止された時、床暖房リモコン３６の表示部３７には、運転状態（床暖房運転停止）等が表示される。
【００６２】
次に、図３を用いて、前記連動運転が選択された場合における、床暖房リモコン３６および室内機リモコン２１の画面遷移例（床暖房リモコン３６の表示部３７および室内機リモコン２１の表示部２６の画面遷移例）について説明する。
【００６３】
まず、前記選択手段により連動運転が選択・設定されておらず、すべての運転が停止中である場合、図３（ａ）に示すように、床暖房リモコン３６の表示部３７では、全体設定画面１００（図３（ａ）の一番左の床暖房リモコン３６の表示部３７参照。）と端末設定画面１０１（図３（ａ）の真ん中床暖房リモコン３６の表示部３７参照。）との設定画面切り替えが可能である。また、室内機リモコン２１の表示部２６は非表示状態であり、室内の設定温度や運転状態に関する表示は消えた状態となっている。
【００６４】
図３（ａ）において、床暖房リモコン３６の表示部３７に全体設定画面１００が表示されている場合、全体設定画面１００中央に室外機４（熱源）の運転状態が表される（この例では停止）と共に、タブＴＭ内に室外機４の運転状態を表す状態表示がなされる（この例では停止状態である「ＯＦＦ」が表記される）。また、全体設定画面１００が表示されている場合、床暖房リモコン３６の運転／停止スイッチ３８には、室外機４の運転停止、より詳細には熱源としての圧縮機５の運転停止を指示する機能のみが付与され、圧縮機５の運転開始を指示する機能は付与されないよう床暖房リモコン３６のＣＰＵによって制御されている。
【００６５】
そして、十字キー４３の操作によりタブＴＭからタブＴＡに移行すると、表示制御手段は、表示部３７に表示される設定画面を全体設定画面１００（図３（ａ）の一番左の床暖房リモコン３６の表示部３７参照。）から端末設定画面１０１（図３（ａ）の真ん中の床暖房リモコン３６の表示部３７参照。）に切り替える。床暖房リモコン３６の表示部３７に端末設定画面１０１が表示されている場合、端末設定画面１０１中央に、対応する床暖房端末２７の部屋名と運転状態が表され（この例では「リビング温水暖房停止」）、画面右寄りには、床暖房端末２７に供給される温水の温度レベルと、その温度レベルを表すインジケータが表示される。なお、タブＴＡ内には、対応する床暖房端末２７の運転状態を表す状態表示（「ＯＦＦ」表記）がなされる。また、端末設定画面１０１が表示されている場合、床暖房リモコン３６の運転／停止スイッチ３８には、室外機４の運転開始・運転停止、より詳細には熱源としての圧縮機５の運転開始を指示する機能と、圧縮機５の運転停止を指示する機能が付与されるよう床暖房リモコン３６のＣＰＵによって制御されている。
【００６６】
ここで、床暖房リモコン３６に全体設定画面１００が表示されている状態（図３（ａ）左）において、連動運転を行うか否かを選択・設定する前記選択手段により連動運転を行うことが選択・設定された場合、表示制御手段は、全体設定画面１００を表示すると共に、十字キー４３の操作によるタブＴＭからタブＴＡへの移行が行えないように、タブＴＡの表示を消し、常に全体設定画面１００が表示されている状態にする（図３（ｂ）の床暖房リモコン３６の表示部３７参照）、すなわち、全体設定画面１００から端末設定画面１０１には切り替えができない状態となる。
【００６７】
このとき、床暖房リモコン３６の表示部３７には、常に全体設定画面１００が表示されるため、床暖房リモコン３６の運転／停止スイッチ３８には、圧縮機５の運転停止を指示する機能のみが付与され、床暖房リモコン３６から圧縮機５の運転停止は実行できるが、運転開始は実行できないようにされ、床暖房リモコン３６からは連動運転の開始を実行できないようにされている。なお、室内機リモコン２１は一方向通信しかできないため、前記選択手段により連動運転を行うことが選択・設定された場合であっても、何ら変化はなく、室内機リモコン２１の表示部２６は非表示状態となっている（図３（ｂ）の室内機リモコン２１の表示部２６参照）。
【００６８】
前記選択手段により連動運転を行うことが選択・設定された状態で、ユーザにより室内機リモコン２１の暖房スイッチ２２が押し操作されると、連動運転が開始される。このとき、室内機リモコン２１の表示部２６には、室内の設定温度や暖房運転が実行中であることを示す状態が表示される（図３（ｃ）の室内機リモコン２１の表示部２６参照）。床暖房リモコン３６の表示部３７には、全体設定画面１００中央に室外機４（熱源）の運転状態が表される（この例では運転中）と共に、タブＴＭ内に室外機４の運転状態を表す状態表示（「ＯＮ」表記）がなされる（図３（ｃ）の床暖房リモコン３６の表示部３７参照）。連動運転中に、ユーザにより室内機リモコン２１の停止スイッチ２４が押し操作されると、連動運転が停止され、床暖房リモコン３６の表示部３７および室内機リモコン２１の表示部２６は、図３（ｂ）に示される表示状態となる。
【００６９】
以上説明したように、連動運転の開始を一方向通信を行う室内機リモコン２１からのみ実行できるようにし、双方向通信を行う床暖房リモコン３６からは連動運転の開始を実行できないようにしたことで、連動運転時において、従来のように、室内機１７は運転しているのに室内機リモコン２１の表示部２６は非表示状態となるといった、室内機１７の作動と室内機リモコン２１の表示が不一致の状態にはならない、すなわち、連動運転において、室内機１７の作動（温風暖房運転中）と室内機リモコン２１の表示（暖房運転実行中である旨の表示）が一致すると共に、床暖房端末２７の作動（床暖房運転中）と床暖房リモコン３６（暖房運転実行中である旨の表示）の表示が一致した状態となり、ユーザにいらぬ疑念を抱かせることがなく、現在の運転状態を正確に伝えることができるものである。
【００７０】
また、連動運転を行うか否かを選択する選択手段により、連動運転が選択された場合に、連動運転の開始を室内機リモコン２１から実行できるようにし、床暖房リモコン３６からは連動運転の開始を実行できないようにしたことで、連動運転選択時には、連動運転開始を実行できるのは確実に室内機リモコン２１だけとなり、連動運転時において、特に、室内機１７の作動と室内機リモコン２１の表示の不一致を防止することができるものである。
【００７１】
また、エアコンユニット２と床暖房ユニット３は、同一の圧縮機５を熱源とする室外機４（ヒートポンプ式熱源機）を備え、選択手段により連動運転が選択された場合に、室内機リモコン２１からは圧縮機５の運転開始および運転停止を実行できるようにし、床暖房リモコン３６からは圧縮機５の運転開始を実行できないようにすると共に、圧縮機５の運転停止を実行できるようにしたので、運転開始の実行は室内機リモコン２１だけに制限して、連動運転時において、特に、室内機１７の作動と室内機リモコン２１の表示の不一致を防止すると共に、運転停止の実行はどちらのリモコンからでもできるようにしたので使い勝手がよいものである。
【００７２】
さらに、床暖房リモコン３６は、空調システム１全体に関する設定を行うための全体設定画面１００、および、床暖房ユニット３（床暖房端末２７）の運転開始・停止設定を含む床暖房ユニット３に関する設定を行うための端末設定画面１０１を切替可能に表示部３７に表示するものであり、選択手段により連動運転が選択された場合、床暖房リモコン３６の表示部３７には、全体設定画面１００を表示すると共に端末設定画面１０１への切り替えができないようにし、全体設定画面１００を表示しているとき、床暖房リモコン３６の運転／停止スイッチ３８には、圧縮機５の運転停止を指示する機能のみが付与され、床暖房リモコン３６から圧縮機５の運転停止は実行できるが、運転開始は実行できないようにし、床暖房リモコン３６から連動運転の開始を実行できないようにしたことで、連動運転が選択された場合に、床暖房リモコン３６において、運転開始指示が行えない全体設定画面１００を常に表示し、床暖房ユニット３の運転開始指示が行える端末設定画面１０１が出現しないようにして、床暖房リモコン３６からは運転開始指示が行えないことをユーザに認識させ、運転を開始させるためには室内機リモコン２１を操作しなければならないことを自然と意識させることができる。
【００７３】
続いて、図４を用いて、前記選択手段により連動運転が選択されていない場合における、床暖房リモコン３６および室内機リモコン２１の画面遷移例（床暖房リモコン３６の表示部３７および室内機リモコン２１の表示部２６の画面遷移例）について説明する。なお、図４（ａ）は連動運転が選択されていない状態であり、状態としては先に説明した図３（ａ）と同じであるため、説明を省略する。
【００７４】
図４（ａ）の床暖房リモコン３６の表示部３７に端末設定画面１０１が表示されているとき、床暖房リモコン３６の運転／停止スイッチ３８には、室外機４の運転開始・運転停止、より詳細には熱源としての圧縮機５の運転開始を指示する機能と、圧縮機５の運転停止を指示する機能が付与されるよう床暖房リモコン３６のＣＰＵによって制御されており、端末設定画面１０１が表示されている状態で、ユーザにより床暖房リモコン３６の運転／停止スイッチ３８が操作され、運転が開始（床暖房運転が単独で開始）された場合、端末設定画面１０１中央に、対応する床暖房端末２７の部屋名と運転状態が表される（この例では「リビング温水暖房運転中」）。なお、タブＴＡ内には、対応する床暖房端末２７の運転状態を表す状態表示（「ＯＮ」表記）がなされ、タブＴＭ内には、室外機４の運転状態を表す状態表示（「ＯＮ」表記）がなされる。
【００７５】
このとき、十字キー４３の操作によりタブＴＡからタブＴＭに移行すると、表示制御手段は、表示部３７に表示される設定画面を端末設定画面１０１（図４（ｂ）の真ん中の床暖房リモコン３６の表示部３７参照。）から全体設定画面１００（図４（ｂ）の一番左の床暖房リモコン３６の表示部３７参照。）に切り替える。床暖房リモコン３６の表示部３７に全体設定画面１００が表示されている場合、全体設定画面１００中央に室外機４（熱源）の運転状態が表される（この例では運転中）と共に、タブＴＭ内に室外機４の運転状態を表す状態表示（「ＯＮ」表記）がなされ、タブＴＡ内には、対応する床暖房端末２７の運転状態を表す状態表示（「ＯＮ」表記）がなされる。なお、床暖房運転が単独で行われているとき、室内機リモコン２１の表示部２６は非表示状態となっている（図４（ｂ）の室内機リモコン２１の表示部２６参照）。
【００７６】
前記床暖房運転が単独で行われているとき、床暖房リモコン３６の表示部３７に端末設定画面１０１が表示されている状態で、ユーザにより床暖房リモコン３６の運転／停止スイッチ３８が操作され、運転が停止された場合、床暖房リモコン３６の表示部３７および室内機リモコン２１の表示部２６は図４（ａ）に示すような状態となる。
【００７７】
また、選択手段により連動運転が選択・設定されておらず、すべての運転が停止中である図４（ａ）の状態において、ユーザにより室内機リモコン２１の暖房スイッチ２２が押し操作されると、温風暖房運転（エアコンユニット２単独での温風暖房運転）が開始される。このとき、室内機リモコン２１の表示部２６には、室内の設定温度や暖房運転が実行中であることを示す状態が表示される（図４（ｃ）の室内機リモコン２１の表示部２６参照）。
【００７８】
このとき、床暖房リモコン３６の表示部３７に全体設定画面１００が表示されている場合には、全体設定画面１００中央に室外機４（熱源）の運転状態が表される（この例では運転中）と共に、タブＴＭ内に室外機４の運転状態を表す状態表示（「ＯＮ」表記）がなされ、対応する床暖房端末２７の運転状態を表す状態表示（「ＯＦＦ」表記）がなされる。（図４（ｃ）の一番左の床暖房リモコン３６の表示部３７参照）。一方、床暖房リモコン３６の表示部３７に端末設定画面１０１が表示されている場合には、端末設定画面１０１中央に、対応する床暖房端末２７の部屋名と運転状態が表され（この例では「リビング温水暖房停止」）、タブＴＡ内には、対応する床暖房端末２７の運転状態を表す状態表示（「ＯＦＦ」表記）がなされ、タブＴＭ内には、室外機４の運転状態を表す状態表示（「ＯＮ」表記）がなされる。
【００７９】
前記温風暖房運転（エアコンユニット２単独での温風暖房運転）が行われているとき、ユーザにより室内機リモコン２１の停止スイッチ２４が押し操作されると、温風暖房運転が停止され、床暖房リモコン３６の表示部３７および室内機リモコン２１の表示部２６は、図４（ａ）に示される表示状態となる。
【００８０】
なお、前記床暖房運転が単独で行われている状態で前記温風暖房運転が開始され、エアコンユニット２と床暖房ユニット３が同時に運転状態となった場合、もしくは、前記温風暖房運転が単独で行われている状態で前記床暖房運転が開始され、エアコンユニット２と床暖房ユニット３が同時に運転状態となった場合、床暖房リモコン３６の表示部３７には、図４（ｂ）の全体設定画面１００または端末設定画面１０１が表示され、室内機リモコン２１の表示部２６には、室内の設定温度や暖房運転が実行中であることを示す状態が表示される（図４（ｃ）の室内機リモコン２１の表示部２６参照）。
【００８１】
以上説明したように、連動運転が選択されていない場合、床暖房リモコン３６は、空調システム１全体に関する設定を行うための全体設定画面１００、および、床暖房ユニット３（床暖房端末２７）の運転開始・停止設定を含む床暖房ユニット３に関する設定を行うための端末設定画面１０１を切替可能に表示部３７に表示するものであり、連動運転が選択されておらず床暖房リモコン３６の表示部３７に端末設定画面１０１が表示されているとき、床暖房リモコン３６の運転／停止スイッチ３８には、室外機４の運転開始・運転停止、より詳細には熱源としての圧縮機５の運転開始を指示する機能と、圧縮機５の運転停止を指示する機能が付与されているため、床暖房リモコン３６から圧縮機５の運転開始と運転停止を実行することができ、床暖房ユニット３の運転開始・停止指示が行えるので、連動運転が選択されていない場合には、床暖房リモコン３６からの運転開始が制限されることはなく、通常の使い方が適用され使い勝手がよいものである。
【００８２】
次に、前記選択手段により連動運転が選択された状態でタイマー運転が開始される場合の動作について説明する。
【００８３】
まず、すべての運転が停止中であるときに、前記選択手段により連動運転を行うことが選択・設定されると、床暖房リモコン３６の表示部３７および室内機リモコン２１の表示部２６は、先に説明したような図３（ｂ）に示すような状態となり、空調システム１としては連動運転が実行可能な状態となる。この状態の時に、ユーザにより室内機リモコン２１にて、タイマースイッチ４５が操作（押圧）され、温風暖房運転を開始させるための運転開始時間が設定されると、室内機リモコン２１からタイマー運転（運転開始予約）の指示信号が室内制御部２０に送られ、室内機制御部２０でその信号を受ける。そして、ユーザにより設定された運転開始時間になったら、室内機制御部２０から室外機制御部４４に温風暖房運転を開始させるための指示信号が送られ、室外機制御部４４は、室内機制御部２０からの運転開始指示信号と、選択手段による連動運転選択設定とに基づき、連動運転を開始させる。
【００８４】
このタイマー運転での連動運転が開始されたとき、室内機リモコン２１の表示部２６は、先に説明したような図３（ｃ）に示すような状態となり、室内の設定温度や暖房運転が実行中であることを示す状態が表示され、床暖房リモコン３６の表示部３７には、全体設定画面１００中央に室外機４（熱源）の運転状態が表される（この例では運転中）と共に、タブＴＭ内に室外機４の運転状態を表す状態表示（「ＯＮ」表記）がなされる。
【００８５】
ここで、図３（ｂ）に示すような状態のとき、すなわち、選択手段により連動運転を行うことが選択・設定されたとき、床暖房リモコン３６の表示部３７には全体設定画面１００が表示され、全体設定画面１００が表示されている状態（端末設定画面１０１に移行できない状態）で、床暖房リモコン３６のタイマースイッチ３９を操作（押圧）しても、その操作は禁止または無効とされ、床暖房リモコン３６のタイマースイッチ３９からは運転開始予約は行えず、床暖房リモコン３６からはタイマー運転での連動運転の開始を実行できないようにされている。
【００８６】
以上説明したように、連動運転が選択された場合、室内機リモコン２１のタイマースイッチ４５からは運転開始予約を行うことができ、設定された運転開始時間に連動運転の開始を実行できるようにし、床暖房リモコン３６のタイマースイッチ３９からは運転開始予約は行えず、連動運転の開始を実行できないようにしたことで、タイマー運転による連動運転時において、従来のように、室内機１７は運転しているのに室内機リモコン２１の表示部２６は非表示状態となるといった、室内機１７の作動と室内機リモコン２１の表示が不一致の状態にはならない、すなわち、タイマー運転による連動運転において、室内機１７の作動（温風暖房運転中）と室内機リモコン２１の表示（暖房運転実行中である旨の表示）が一致すると共に、床暖房端末２７の作動（床暖房運転中）と床暖房リモコン３６（暖房運転実行中である旨の表示）の表示が一致した状態となり、ユーザにいらぬ疑念を抱かせることがなく、現在の運転状態を正確に伝えることができるものである。
【００８７】
なお、本発明は先に説明した一実施形態に限定されるものでなく、本実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【００８８】
例えば、本実施形態では、エアコンユニット２を操作するための第１のリモコンとして、ワイヤレスリモコンである室内機リモコン２１を適用したが、第１のリモコンとしては、スマートフォンやタブレット等の表示部を有する通信機能付き携帯端末（以下、携帯端末とする）であってもよく、必要な通信環境（例えば、ＨＥＭＳコントローラ、ミドルウェアアダプタ、ルーター、インターネット環境等）さえ揃っていれば、携帯端末からエアコンユニット２の室内機１７へ情報の伝達を行える。
【００８９】
上記の場合、携帯端末から発信された信号を、室内機制御部２０の受信部で受けると、室内機制御部２０では、携帯端末から送られてきた情報を読み取り、指示された制御を行う。
【００９０】
ここで、選択手段により連動運転が選択されている場合に、携帯端末からエアコンユニット２の運転開始を指示する信号が送られると、携帯端末からの指示信号が室内制御部２０に送られ、室内機制御部２０でその信号を受ける。そして、室内機制御部２０からは室外機制御部４４に温風暖房運転を開始させるための指示信号が送られ、室外機制御部４４は、室内機制御部２０からの運転開始指示信号と、選択手段による連動運転選択設定とに基づき、連動運転を開始させる。
【００９１】
このとき、携帯端末の表示部には室内の設定温度や暖房運転が実行中であることを示す状態が表示され、さらに、床暖房リモコン３６の表示部３７には、全体設定画面１００中央に室外機４（熱源）の運転状態が表される（この例では運転中）と共に、タブＴＭ内に室外機４の運転状態を表す状態表示（「ＯＮ」表記）がなされる。（図３（ｃ）に示す床暖房リモコン３６の表示部３７のような表示状態となる。）よって、携帯端末からの運転開始指示による連動運転においても、室内機１７の作動（温風暖房運転中）と携帯端末の表示（暖房運転実行中である旨の表示）が一致すると共に、床暖房端末２７の作動（床暖房運転中）と床暖房リモコン３６（暖房運転実行中である旨の表示）の表示が一致した状態となり、ユーザにいらぬ疑念を抱かせることがなく、現在の運転状態を正確に伝えることができるものである。
【００９２】
なお、携帯端末からはエアコンユニット２の運転開始（暖房運転開始または冷房運転開始）を指示する信号の他に、運転停止を指示する信号や室内温度の変更を指示する信号も送ることができ、先に説明した室内機リモコン２１と同じような機能を有している。
【００９３】
また、上述のように、必要な通信環境が揃っている場合、携帯端末はエアコンユニット２との間で双方向通信により情報の伝達を行うことができるが、携帯端末からの運転開始指示に対して、エアコンユニット２側からの応答がない、例えば、エアコンユニット２側は携帯端末からの指示信号を受信するだけで、指示信号に対する応答信号を送信しないように制御されている場合、または、一時的な通信障害等により応答信号が送信できない場合のように、エアコンユニット２に対して携帯端末からの擬似的な一方向通信による情報の伝達が行われる場合であっても、連動運転時は、室内機１７の作動と携帯端末の表示が一致すると共に、床暖房端末２７の作動と床暖房リモコン３６の表示が一致した状態となり、ユーザにいらぬ疑念を抱かせることがなく、現在の運転状態を正確に伝えることができるものである。
【００９４】
次に、本発明の他の実施形態について、図５に基づき説明する。なお、先に説明した一実施形態と構成および動作が同一のものについては一部説明を省略する。
【００９５】
４６は室内機リモコン２１に設けられ、エアコンユニット２による温風暖房運転と、床暖房ユニット３による床暖房運転との連動運転を開始させる連動運転実行操作手段としての連動運転スイッチである。この連動運転スイッチ４６は室内機リモコン２１にのみ設けられ、床暖房リモコン３６には設けない。
【００９６】
なお、連動運転スイッチ４６を設けた本実施形態の場合は、先に説明した一実施形態での、連動運転を行うか否かを選択・設定する選択手段を省略してもよいものである。
【００９７】
次に、室内機リモコン２１の連動運転スイッチ４６が操作された場合における連動運転の動作について説明する。
【００９８】
例えば、すべての運転が停止中であるときに、ユーザにより室内機リモコン２１の連動運転スイッチ４６が操作（押圧）されると、室内機リモコン２１からの連動運転開始指示信号が室内制御部２０に送られ、室内機制御部２０でその信号を受ける。そして、室内機制御部２０からは室外機制御部４４に連動運転を開始させるための指示信号が送られ、連動運転を開始させる。
【００９９】
このとき、室内機リモコン２１の表示部２６には、室内の設定温度や暖房運転が実行中であることを示す状態が表示される（図３（ｃ）の室内機リモコン２１の表示部２６参照）。床暖房リモコン３６の表示部３７には、全体設定画面１００中央に室外機４（熱源）の運転状態が表される（この例では運転中）と共に、タブＴＭ内に室外機４の運転状態を表す状態表示（「ＯＮ」表記）がなされる（図３（ｃ）の床暖房リモコン３６の表示部３７参照）。
【０１００】
以上説明したように、室内機リモコン２１にのみ連動運転スイッチ４６を設けたことで、室内機リモコン２１から確実に連動運転が開始され、連動運転時において、従来のように、室内機１７は運転しているのに室内機リモコン２１の表示部２６は非表示状態となるといった、室内機１７の作動と室内機リモコン２１の表示が不一致の状態にはならない、すなわち、タイマー運転による連動運転において、室内機１７の作動（温風暖房運転中）と室内機リモコン２１の表示（暖房運転実行中である旨の表示）が一致すると共に、床暖房端末２７の作動（床暖房運転中）と床暖房リモコン３６（暖房運転実行中である旨の表示）の表示が一致した状態となり、ユーザにいらぬ疑念を抱かせることがなく、現在の運転状態を正確に伝えることができるものである。
【０１０１】
なお、本実施形態では、連動運転を開始させる連動運転実行操作手段として、連動運転開始専用の連動運転スイッチ４６を設けたが、例えば、室内機リモコン２１にタイマー運転を行えるタイマースイッチを設け、このタイマースイッチに連動運転の機能を兼ね備え、室内機リモコン２１のタイマースイッチが操作されて運転開始予約が行われ、設定された運転開始時間となったときに、必ず連動運転が開始されるようにしておけば、タイマースイッチを連動運転実行操作手段としてもよいものである。連動運転実行操作手段は連動運転の開始を実行できるものであれば特に限定されるものではない。
【符号の説明】
【０１０２】
１    空調システム
２    エアコンユニット
３    床暖房ユニット
５    圧縮機
１７    室内機
２１    室内機リモコン（第１のリモコン）
２６    表示部
２７    床暖房端末
３６    床暖房リモコン（第２のリモコン）
３７    表示部
３９    タイマースイッチ（第２タイマー運転手段）
４４    室外機制御部
４５    タイマースイッチ（第１タイマー運転手段）
４６    連動運転スイッチ（連動運転実行操作手段）
１００  全体設定画面
１０１  端末設定画面
【図１】
2020112340.tif 000003
【図２】
2020112340.tif 000004
【図３】
2020112340.tif 000005
【図４】
2020112340.tif 000006
【図５】
2020112340.tif 000007